(57)【特許請求の範囲】
【請求項１】
ＢＩＭを用いた建物設計用の３次元ＣＡＤと、汎用の表計算ソフトと、前記３次元ＣＡＤと前記表計算ソフトとを連携する連携ソフトとがインストールされたコンピュータを備え、
前記表計算ソフトは、設計データのデフォルト値を表形式で記憶するデータベースシートと、フレーム積木入力シートとを有し、
前記３次元ＣＡＤは、配棟を決定する配棟設定シートを有し、
前記配棟設定シートは、建物の敷地境界からの離間距離、隣接する複数の住戸の間口、前記住戸の奥行、及び階段とエレベータの位置を含む基本データを入力する第１入力領域を有し、
前記３次元ＣＡＤは、前記基本データに相当する建物の基本平面図を表示し、
前記基本平面図は３次元ＣＡＤ上において移動かつ前記住戸が隣接する方向へ引き伸ばしが可能であり、
前記３次元ＣＡＤは、引き伸ばされた前記基本平面図を、前記複数の前記住戸のうち中間に位置する前記住戸を増やした建物の修正平面図に変換し、
前記フレーム積木入力シートは、前記修正平面図のスパン毎に階数と住戸タイプを入力する第２入力領域を有し、
前記表計算ソフトは、入力された前記階数と前記住戸タイプに基づき、フレーム積木図を表示し、
前記３次元ＣＡＤは、前記修正平面図と前記階数と前記住戸タイプに基づき、建物のブロック図を表示する、ことを特徴とするブロック図作成システム。
【請求項２】
前記連携ソフトは、前記ブロック図から、建物のＸ方向スパン数、Ｙ方向スパン数、及び前記階数を含む前記設計データを作成する機能を有する、ことを特徴とする請求項１に記載のブロック図作成システム。
【請求項３】
前記データベースシートは、前記階段、前記エレベータ、及び前記住戸タイプのデフォルト値を表形式で表示し、
表示された前記デフォルト値は表計算ソフト上で修正可能である、ことを特徴とする請求項１に記載のブロック図作成システム。
【請求項４】
連携ソフトは、前記表計算ソフトのデータを前記３次元ＣＡＤのＢＩＭデータに変換し、かつ前記ＢＩＭデータを前記表計算ソフトのデータに変換する、ことを特徴とする請求項１に記載のブロック図作成システム。
【請求項５】
ＢＩＭを用いた建物設計用の３次元ＣＡＤと、汎用の表計算ソフトと、前記３次元ＣＡＤと前記表計算ソフトとを連携する連携ソフトとがインストールされたコンピュータを準備し、
配棟を決定する第１ステップにおいて、
（Ａ）前記３次元ＣＡＤの配棟設定シートの第１入力領域に、建物の敷地境界からの離間距離、隣接する複数の住戸の間口、前記住戸の奥行、及び階段とエレベータの位置を含む基本データを入力し、
（Ｂ）前記３次元ＣＡＤにより、前記基本データに相当する建物の基本平面図を表示し、
前記基本平面図は３次元ＣＡＤ上において移動かつ前記住戸が隣接する方向へ引き伸ばしが可能であり、
（Ｃ）前記３次元ＣＡＤにより、引き伸ばされた前記基本平面図を、前記複数の前記住戸のうち中間に位置する前記住戸を増やした建物の修正平面図に変換し、
積層する高さを調整する第２ステップにおいて、
（Ｄ）前記表計算ソフトのフレーム積木入力シートの第２入力領域に、前記修正平面図のスパン毎に階数と住戸タイプを入力し、
（Ｅ）前記表計算ソフトにより、入力された前記階数と前記住戸タイプに基づき、フレーム積木図を表示し、
（Ｆ）前記３次元ＣＡＤにより、前記修正平面図と前記階数と前記住戸タイプに基づき、建物のブロック図を表示する、ことを特徴とするブロック図作成方法。
【請求項６】
第３ステップにおいて、前記連携ソフトにより、前記ブロック図から、建物のＸ方向スパン数、Ｙ方向スパン数、及び前記階数を含む設計データを作成する、ことを特徴とする請求項５に記載のブロック図作成方法。
【発明の詳細な説明】
【技術分野】
【０００１】
本発明は、３次元汎用ＣＡＤを用いたＢＩＭの建物用のブロック図作成システムと方法に関する。
【背景技術】
【０００２】
ＢＩＭ（ビルディングインフォメーションモデル）とは、建物データを生成および管理するための設計手法である。典型的には、３次元ＣＡＤを使用して建物設計の過程で３次元ＣＡＤのデータ（以下、ＢＩＭデータ）を作成する。
【０００３】
ＢＩＭデータには、建物形状、空間関係、建物部材の数量や特性、建物要素のプロパティ（例えばメーカー情報など）が含まれる。従って、ＢＩＭを用いて、数量および共有された材質情報を簡単に抽出することができる。
【０００４】
ＢＩＭを用いた建物設計用の３次元ＣＡＤとして、例えばＲｅｖｉｔ（登録商標）が知られている。Ｒｅｖｉｔ（登録商標）は、米国のオートデスク（登録商標）社が開発した、建物設計用のＣＡＤソフトウェアである。
【０００５】
このような、建物設計用の３次元ＣＡＤは、ＢＩＭ用に開発されており、建築設計者はコーディネートされた一貫性のあるモデルベースのアプローチにより、アイデアをコンセプトから施工に発展させることができる。
【０００６】
上述した汎用の３次元ＣＡＤを用いて、建物の企画検討を効率的に行う手段として、例えば特許文献１、２が開示されている。
【０００７】
特許文献１の「環境表示装置、それを利用した建物の仮設計方法、建物設計装置及び建物の評価方法」は、個々の敷地に対応した敷地環境を簡易に表示することを目的とする。
【０００８】
特許文献１では、この環境表示装置は、建物のプラン設計、提案に必要な情報をデータベースとして記憶する記憶手段と、建設を予定している敷地に関する敷地情報を含む敷地固有の情報を入力する固有情報入力手段と、その固有情報に基づき敷地固有のプラン設計、提案に必要な環境情報をデータベースから抽出して表示する出力手段（表示装置）とを備えている。
【０００９】
特許文献２の「建物計画支援システム」は、建築に関する深い専門知識を有さない者であっても、簡単な操作によって規制条件を満たした建物計画を短時間に実施できるようにすることを目的とする。
【００１０】
特許文献２では、建物要素図形を操作画面上に表示する要素表示手段と、その図形を操作画面の任意の位置に配置操作自在な図形配置手段とが設けられる。さらに操作画面上の対象敷地の範囲を表示する敷地表示手段と、対象敷地に対する建築規制条件を与える規制条件設定手段と、規制条件設定手段によって設定された建築規制条件に則って対象敷地に対する建築可能範囲を操作画面に表示する範囲表示手段とが備えられる。図形は部屋ブロックを要素として構成され、図形配置手段は、範囲表示手段によって建築可能な範囲を操作画面に表示した状態で部屋ブロックの図形を操作画面上に配置自在に形成している。
【先行技術文献】
【特許文献】
【００１１】
【特許文献１】特開２００１−２９０８６４号公報
【特許文献２】特開２００５−２０９０１７号公報
【発明の概要】
【発明が解決しようとする課題】
【００１２】
事業企画の段階で、計画敷地に建設されるマンションの容積のチェック及び日影規制のクリアのため、従来は二次元図面を基に手計算で容積計算を行っていた。しかし、二次元図面を基に手計算で容積計算をするには、時間と手間がかかっていた。
そこで、上述したＢＩＭと３次元汎用ＣＡＤを用いて、３次元データでブロック図を作成し、容積等の自動計算を可能にすれば、業務の効率化を図ることができる。
「建物のブロック図」とは、建物全体を１つのブロック（塊）として示す図である。ブロック図では、建物全体の外面を起伏の少ない平面で通常表す。
【００１３】
しかし、ＢＩＭにより３次元データでブロック図を作成するために、例えば特許文献２のように、住戸を構成する一つ一つの箱（部屋ブロックの図形）を手入力するのは、同様に相当の時間と手間がかかる。
また、従来の手段では、検討用のブロック図で建物ボリュームが決まった後に、新たに柱、梁がある設計図面を作成しなければならなかった。
【００１４】
本発明は、これらの問題点を解決するために創案されたものである。すなわち本発明の目的は、建物の二次元図面を作成することなく、容易に建物のブロック図を作成することができ、かつブロック図から柱、梁がある設計図面を容易に作成できるブロック図作成システムと方法を提供することにある。
【課題を解決するための手段】
【００１５】
本発明によれば、ＢＩＭを用いた建物設計用の３次元ＣＡＤと、汎用の表計算ソフトと、前記３次元ＣＡＤと前記表計算ソフトとを連携する連携ソフトとがインストールされたコンピュータを備え、
前記表計算ソフトは、設計データのデフォルト値を表形式で記憶するデータベースシートと、フレーム積木入力シートとを有し、
前記３次元ＣＡＤは、配棟を決定する配棟設定シートを有し、
前記配棟設定シートは、建物の敷地境界からの離間距離、隣接する複数の住戸の間口、前記住戸の奥行、及び階段とエレベータの位置を含む基本データを入力する第１入力領域を有し、
前記３次元ＣＡＤは、前記基本データに相当する建物の基本平面図を表示し、
前記基本平面図は３次元ＣＡＤ上において移動かつ前記住戸が隣接する方向へ引き伸ばしが可能であり、
前記３次元ＣＡＤは、引き伸ばされた前記基本平面図を、前記複数の前記住戸のうち中間に位置する前記住戸を増やした建物の修正平面図に変換し、
前記フレーム積木入力シートは、前記修正平面図のスパン毎に階数と住戸タイプを入力する第２入力領域を有し、
前記表計算ソフトは、入力された前記階数と前記住戸タイプに基づき、フレーム積木図を表示し、
前記３次元ＣＡＤは、前記修正平面図と前記階数と前記住戸タイプに基づき、建物のブロック図を表示する、ことを特徴とするブロック図作成システムが提供される。
【００１６】
前記連携ソフトは、前記ブロック図から、建物のＸ方向スパン数、Ｙ方向スパン数、及び前記階数を含む前記設計データを作成する機能を有する。
【００１７】
前記データベースシートは、前記階段、前記エレベータ、及び前記住戸タイプのデフォルト値を表形式で表示し、
表示された前記デフォルト値は表計算ソフト上で修正可能である。
【００１８】
連携ソフトは、前記表計算ソフトのデータを前記３次元ＣＡＤのＢＩＭデータに変換し、かつ前記ＢＩＭデータを前記表計算ソフトのデータに変換する。
【００１９】
また、本発明によれば、ＢＩＭを用いた建物設計用の３次元ＣＡＤと、汎用の表計算ソフトと、前記３次元ＣＡＤと前記表計算ソフトとを連携する連携ソフトとがインストールされたコンピュータを準備し、
配棟を決定する第１ステップにおいて、
（Ａ）前記３次元ＣＡＤの配棟設定シートの第１入力領域に、建物の敷地境界からの離間距離、隣接する複数の住戸の間口、前記住戸の奥行、及び階段とエレベータの位置を含む基本データを入力し、
（Ｂ）前記３次元ＣＡＤにより、前記基本データに相当する建物の基本平面図を表示し、
前記基本平面図は３次元ＣＡＤ上において移動かつ前記住戸が隣接する方向へ引き伸ばしが可能であり、
（Ｃ）前記３次元ＣＡＤにより、引き伸ばされた前記基本平面図を、前記複数の前記住戸のうち中間に位置する前記住戸を増やした建物の修正平面図に変換し、
積層する高さを調整する第２ステップにおいて、
（Ｄ）前記表計算ソフトのフレーム積木入力シートの第２入力領域に、前記修正平面図のスパン毎に階数と住戸タイプを入力し、
（Ｅ）前記表計算ソフトにより、入力された前記階数と前記住戸タイプに基づき、フレーム積木図を表示し、
（Ｆ）前記３次元ＣＡＤにより、前記修正平面図と前記階数と前記住戸タイプに基づき、建物のブロック図を表示する、ことを特徴とするブロック図作成方法が提供される。
【００２０】
第３ステップにおいて、前記連携ソフトにより、前記ブロック図から、建物のＸ方向スパン数、Ｙ方向スパン数、及び前記階数を含む設計データを作成する。
【発明の効果】
【００２１】
上記本発明の装置と方法によれば、３次元ＣＡＤの配棟設定シートにおいて、建物の敷地境界からの離間距離、隣接する複数の住戸の間口、住戸の奥行、及び階段とエレベータの位置を含む基本データを入力する。これにより、３次元ＣＡＤは、基本データに相当する建物の基本平面図を表示する。
基本平面図は３次元ＣＡＤ上において移動かつ住戸が隣接する方向へ引き伸ばしが可能であり、３次元ＣＡＤは、引き伸ばされた基本平面図を、複数の住戸のうち中間に位置する住戸を増やした建物の修正平面図に変換する。
従って、建物の二次元図面を作成することなく、修正平面図を作成することができる。
【００２２】
また、表計算ソフトのフレーム積木入力シートにおいて、修正平面図のスパン毎に階数と住戸タイプを入力すると、３次元ＣＡＤは、修正平面図と階数と住戸タイプに基づき、建物のブロック図を表示する。
従って、建物の二次元図面を作成することなく、容易に建物のブロック図を作成することができる。
【００２３】
さらに、３次元ＣＡＤと表計算ソフトとを連携する連携ソフトにより、ブロック図のＢＩＭデータから、柱、梁がある設計図面を容易に作成できる。
【００２４】
従って、本発明によれば、ブロック図作成のデータ入力が容易であり、容積チェック、斜線チェック、日影チェック等の作業が簡略化できる。
【図面の簡単な説明】
【００２５】
【図１】本発明によるブロック図作成システムの全体構成図である。
【図２】本発明によるブロック図作成方法の全体フロー図である。
【図３】出力用の画面に表示される配棟設定シートの模式図である。
【図４】３次元ＣＡＤにおける操作を示す図である。
【図５】出力用の画面に表示される表形式のフレーム積木入力シートの模式図である。
【図６】フレーム積木図の模式図である。
【図７】ブロック図の模式的斜視図である。
【図８】ＢＩＭデータに基づく建物の外観デザインの斜視図である。
【発明を実施するための形態】
【００２６】
以下、本発明の好ましい実施形態を図面を参照して説明する。なお、各図において共通する部分には同一の符号を付し、重複した説明を省略する。
【００２７】
図１は、本発明によるブロック図作成システムの全体構成図である。
この図に示すように、本発明のブロック図作成システムは、コンピュータ１０を備える。
コンピュータ１０は、外部とのデータのやり取りを行う入出力装置１２、データを記録する記憶装置１４、プログラムの実行状況を制御する制御装置１６、及びデータの計算や加工を行う演算装置１８から構成される。
入出力装置１２は、例えば入力用のキーボードとマウス、及び出力用の画面（例えば液晶画面）とプリンタからなる。
記憶装置１４は、一時的な記憶に用いる主記憶装置と、永続的な記録に用いる外部記憶装置（補助記憶装置）とからなる。
【００２８】
本発明のコンピュータ１０は、記憶装置１４に、ＢＩＭを用いた建物設計用の３次元ＣＡＤ２０と、汎用の表計算ソフト２２と、３次元ＣＡＤ２０と表計算ソフト２２とを連携する連携ソフト２４とがインストールされている。
【００２９】
ＢＩＭを用いた建物設計用の３次元ＣＡＤ２０は、例えば上述したＲｅｖｉｔ（登録商標）である。なお３次元ＣＡＤ２０は、この例に限定されず、ＢＩＭデータＤ３に、建物のブロック図作成に必要なデータが含まれ、ＢＩＭデータＤ３を用いて建物のブロック図７（図７参照）が作成できる限りで、その他の建物設計用の３次元ＣＡＤであってもよい。
【００３０】
汎用の表計算ソフト２２は、例えば米国のマイクロソフト（登録商標）社が開発した、Ｅｘｃｅｌ（登録商標）である。なお表計算ソフト２２は、この例に限定されず、データ及び記号を表形式で表示でき、かつデータの演算が可能な限りで、その他の表計算ソフトであってもよい。
【００３１】
連携ソフト２４は、３次元ＣＡＤ２０と表計算ソフト２２を連携し、表計算ソフト２２のデータをＢＩＭデータＤ３に変換し、かつＢＩＭデータＤ３を表計算ソフト２２のデータに変換する。連携ソフト２４は、この変換機能を有する限りで、表計算ソフト２２のマクロであっても、独立したプログラムソフトであってもよい。
【００３２】
本発明のブロック図作成システムは、基本的な建物形状（基本データＤ１）をデータ入力することで、ＢＩＭによるブロック図７（図７参照）を作成するものである。
なお、本発明において、建物は、例えばマンション等の集合住宅であり、ＳＲＣ構造又はＲＣ構造のものを意味する。また、ブロック図７は、単一（１棟）の集合住宅を１つのブロック（塊）として示す図を意味する
【００３３】
図１において、表計算ソフト２２は、設計データＤ２のデフォルト値を表形式で記憶するデータベースシート２３と、フレーム積木入力シート２２ｂとを有する。
また、３次元ＣＡＤ２０は、配棟を決定する配棟設定シート２１を有する。
【００３４】
図２は、本発明によるブロック図作成方法の全体フロー図である。
本発明のブロック図作成方法は、上述したコンピュータ１０を準備し、配棟を決定する第１ステップＳ１と、積層する高さを調整する第２ステップＳ２とを実行する。
【００３５】
この図において、第１ステップＳ１は、Ｓ１１〜Ｓ１３の各ステップからなる。また、第２ステップＳ２は、Ｓ２１〜Ｓ２３の各ステップからなる。
なお、各ステップは、コンピュータ１０、３次元ＣＡＤ２０、又は表計算ソフト２２に設けられた任意のキー入力又は押しボタンのクリックにより、次のステップに移行し、かつ自由に戻ることができるように設定されている。
【００３６】
図３は、第１ステップＳ１のステップＳ１１において、出力用の画面に表示される配棟設定シート２１の模式図である。
本発明のブロック図作成システムは、ステップＳ１１において、配棟設定シート２１を表示又はアクティブ（入力可能な状態）にする。
配棟設定シート２１は、建物の敷地境界２（図４参照）からの離間距離、隣接する複数の住戸の間口、住戸の奥行、及び階段３ａ（図４参照）とエレベータ３ｂ（図４参照）の位置を含む基本データＤ１を入力する第１入力領域１を有する。建物の敷地境界２は、予め別箇に入力されている。
第１入力領域１（格子状のセル）には、設計者が想定する建物形状に相当する適切な数値を、デフォルト値が表示されたリストからの選択、又はキーボードを用いて入力する。これらの数値は暫定値であり、配棟設定シート２１は、表形式のスプレッドシートであるので、３次元ＣＡＤ上で自由に修正可能である。
【００３７】
配棟設定シート２１に必要なデータを入力し、次のステップＳ１２に進むと、３次元ＣＡＤ２０により、基本データＤ１に相当する建物の基本平面図３が画面上に表示される。またステップＳ１２と同時に、連携ソフト２４は、表計算ソフト２２のデータをＢＩＭデータＤ３に変換する。
【００３８】
図４は、３次元ＣＡＤ２０における操作を示す図である。この図において、（Ａ）は建物の敷地境界２と建物の基本平面図３、（Ｂ）は基本平面図３の引き伸ばし（ドラッグ）操作、（Ｃ）は引き伸ばし後の修正平面図４を示している。
図４（Ａ）に示すように、ステップＳ１２において、予め設定した敷地範囲と、基本データＤ１による建物の敷地境界２からの離間距離と、基本データＤ１に相当する建物の基本平面図３が表示される。
この図において、Ａ，Ｂは住戸タイプ、３ａは階段の位置、３ｂはエレベータの位置、３ｃは廊下、３ｄはベランダを示している。なお、住戸タイプとは、データベースシート２３に予め設定された面積、間口、奥行の標準タイプの呼称である。なお、基本データＤ１は、予め設定された住戸タイプに限定されない。
【００３９】
基本平面図３は３次元ＣＡＤ上においてマウス等を用いて自由に移動できる。また、同様にマウス等を用いて基本平面図３を平面内で引き伸ばしが可能になっている。この引き伸ばしは、住戸が隣接する方向、すなわち共用廊下の延びる方向と、奥行方向の両方向で可能である。
図４（Ｂ）に示すように、ステップＳ１２において、設計者は、想定する建物形状に基づき、基本平面図３を引き伸ばし（ドラッグ）して建物の設置範囲を変更することができる。また、階段３ａとエレベータ３ｂの位置も、自由に変更することができる。
【００４０】
図４（Ｃ）に示すように、ステップＳ１３において、３次元ＣＡＤ２０は、引き伸ばされた基本平面図３を、複数の住戸Ａ，Ｂのうち中間に位置する住戸（この例では住戸タイプＢ）を増やした建物の修正平面図４に変換する。
この図で右端に位置する住戸の間口が、住戸タイプＢと相違する場合には、別の住戸タイプ（この例ではＣ）とする。
【００４１】
修正平面図４も、基本平面図３と同様に、３次元ＣＡＤ上においてマウス等を用いて平面図上で移動又は回転させて、その配置を検討することができる。
ステップＳ１２とステップＳ１３は、交互に繰り返し実施することができる。平面図上で修正平面図４の配置が決まると第２ステップＳ２に移行する。この移行と同時に、連携ソフト２４は、ＢＩＭデータＤ３を表計算ソフト２２のデータに変換する。
【００４２】
図５は、出力用の画面に表示される表形式のフレーム積木入力シート２２ｂの模式図である。
本発明のブロック図作成システムは、ステップＳ２１において、フレーム積木入力シート２２ｂを表示又はアクティブ（入力可能な状態）にする。
フレーム積木入力シート２２ｂは、修正平面図４（図４参照）のスパン毎に階数と住戸タイプを入力する第２入力領域５を有する。
フレーム積木入力シート２２ｂには、修正平面図４に相当する住戸位置が表示されている。また、データベースシート２３から各住戸タイプに相当する専有面積、間口、奥行を含む専有テーブルが表示されている。
設計者は、想定する建物形状に基づき、修正平面図４のスパン毎に階数と住戸タイプを入力する。
フレーム積木入力シート２２ｂは、建物における住戸タイプの配列を示す図である。この図において、横方向は隣接する住戸の配列、縦方向は階層、図中のＡ，Ｂ，Ｃは住戸タイプ、図中の斜線は建物の範囲を示している。
また、図示しない共用テーブルを表示し、住戸タイプの代わりにエントランス、集会場、電気室、等を入力することもできる。
この入力が完了すると、次のステップＳ２２に移る。
【００４３】
図６は、フレーム積木図６の模式図である。ステップＳ２２では、表計算ソフト２２により、入力された階数と住戸タイプに基づき、フレーム積木図６を表示する。
フレーム積木図６は、建物における住戸タイプの配列を示す図である。この図において、住戸タイプと階層の配列を示している。
フレーム積木図６は、表形式のスプレッドシートであるので、表計算ソフト上で自由に修正可能である。設計者は、想定する建物形状に基づき、フレーム積木図６を検討し、必要により修正する。
【００４４】
フレーム積木図６の修正が完了したら、次のステップＳ２３に移る。またステップＳ２３と同時に、連携ソフト２４は、表計算ソフト２２のデータをＢＩＭデータＤ３に変換する。
【００４５】
図７は、ブロック図７の模式的斜視図である。
ステップＳ２３では、３次元ＣＡＤ２０により、修正平面図４と階数と住戸タイプに基づき、建物のブロック図７を表示する。
図７において、８ａは各住戸の居室、８ｂは出部屋を示している。
すなわち、連携ソフト２４は、表計算ソフト２２のデータをＢＩＭデータＤ３に変換し、３次元ＣＡＤ２０は、修正平面図４と階数と住戸タイプに基づき、建物のブロック図７を表示する。このブロック図７は、上述したステップで修正したすべてのデータ（住戸タイプを含む）が反映されている。
【００４６】
設計者は、３次元ＣＡＤ２０とこのブロック図７を用いて、階段３ａ、エレベータ３ｂ、廊下３ｃ、ベランダ３ｄ、各住戸の居室８ａ、及び出部屋８ｂのデータから、予め設定された基準に基づき、建物全体の容積、建築面積、等を自動で算出することができる。
従って、容積チェック、斜線チェック、日影チェック等の作業が簡略化できる。
【００４７】
また、本発明の連携ソフト２４は、ブロック図７から、建物のＸ方向スパン数、Ｙ方向スパン数、及び階数を含む設計データＤ２を作成する機能を有する。
従って、第２ステップの次の第３ステップ（図示せず）において、連携ソフト２４により、ブロック図７から、建物のＸ方向スパン数、Ｙ方向スパン数、及び階数を含む設計データＤ２を作成することができる。
【００４８】
上述した本発明の装置と方法によれば、３次元ＣＡＤ２０の配棟設定シート２１において、建物の敷地境界２からの離間距離、隣接する複数の住戸の間口、住戸の奥行、及び階段３ａとエレベータ３ｂの位置を含む基本データＤ１を入力する。これにより、３次元ＣＡＤ２０は、基本データＤ１に相当する建物の基本平面図３を表示する。
基本平面図３は３次元ＣＡＤ上において移動かつ住戸が隣接する方向へ引き伸ばしが可能であり、３次元ＣＡＤ２０は、引き伸ばされた基本平面図３を、複数の住戸のうち中間に位置する住戸を増やした建物の修正平面図４に変換する。
従って、建物の二次元図面を作成することなく、修正平面図４を作成することができる。
【００４９】
また、表計算ソフト２２のフレーム積木入力シート２２ｂにおいて、修正平面図４のスパン毎に階数と住戸タイプを入力すると、３次元ＣＡＤ２０は、修正平面図４と階数と住戸タイプに基づき、建物のブロック図７を表示する。
従って、建物の二次元図面を作成することなく、容易に建物のブロック図７を作成することができる。
【００５０】
さらに、３次元ＣＡＤ２０と表計算ソフト２２とを連携する連携ソフト２４により、ブロック図７のＢＩＭデータＤ３から、柱、梁がある企画設計図面を容易に作成できる。
【００５１】
例えば、本発明により得られるＢＩＭデータＤ３は、住戸を構成する箱（ブロック）の他、共用廊下、バルコニー、外部階段、ＥＶシャフトなど各建物構成要素を箱（ブロック）として認識するものであるが、住戸を構成する住戸ブロックの四隅に柱があり、住戸ブロックの短編方向は柱と梁によるラーメン構造、長編方向は梁型付き耐震壁、短編の共用廊下側の壁には、玄関と腰窓２つ、同じく短編のバルコニー側は掃出し窓２つ、妻壁に腰窓２つなどの要件定義を行い、柱、梁、耐震壁、玄関、窓、共用廊下、バルコニー、外部階段、ＥＶシャフトなど予め用意されたパーツを配置指示する連携ソフト２４があれば、各パーツの位置情報や高さ情報は前記各ブロックにて定義されている為、正確に３次元ＣＡＤとして生成可能である。この場合、外壁のテクスチャーを変更したり、各ブロックにより位置情報が生成されているため外壁に設けるマリオンなどパーツを選択し追加設定もできる。
従って、連携ソフト２４により簡易な箱（ブロック）を積み上げ、斜線規制や日影規制を順守しつつ、もっとも事業的に優位な建物形状を決定した後に、上記の連携ソフト２４にて図８のような現実の建物に近いＢＩＭデータの生成可能で、これにより、建物の平面図や断面図はもとより、建物の外観デザインなどをあらゆる角度から（３次元で）確認可能になる。
【００５２】
従って、本発明によれば、ブロック図作成のデータ入力が容易であり、容積チェック、斜線チェック、日影チェック等の作業が簡略化できる。
さらに、連携ソフト２４により、ブロック図７から、建物のＸ方向スパン数、Ｙ方向スパン数、及び階数を含む設計データＤ２を作成することにより、企画設計図面の作成も容易にできる。
【００５３】
なお、本発明は上述した実施形態に限定されず、本発明の要旨を逸脱しない限りで種々に変更できることは勿論である。
【符号の説明】
【００５４】
Ｄ１  基本データ、Ｄ２  設計データ、Ｄ３  ＢＩＭデータ、
１  第１入力領域、２  敷地境界、３  基本平面図、
３ａ  階段、３ｂ  エレベータ、３ｃ  廊下、３ｄ  ベランダ、
４  修正平面図、５  第２入力領域、６  フレーム積木図、
７  ブロック図、８ａ  各住戸の居室、８ｂ  出部屋、１０  コンピュータ、
１２  入出力装置、１４  記憶装置、１６  制御装置、１８  演算装置、
２０  ３次元ＣＡＤ、２１  配棟設定シート、２２  表計算ソフト、
２２ｂ  フレーム積木入力シート、２３  データベースシート、
２４  連携ソフト
【図１】
0006422335.tif 000002
【図２】
0006422335.tif 000003
【図３】
0006422335.tif 000004
【図４】
0006422335.tif 000005
【図５】
0006422335.tif 000006
【図６】
0006422335.tif 000007
【図７】
0006422335.tif 000008
【図８】
0006422335.tif 000009